(57)【要約】      （修正有）【課題】建築物の隙間に密着させて強固に取り付ける介そう具を提供する。【解決手段】介そう具１の床突出部４は壁パネル５１の側面に向かって突出し、垂下部３が弾性的に変形して湾曲され、垂下部３及び床突出部４が壁パネル５１の側面に強く当接し介そう具１が隙間５３に強固に固定される。垂下部３の垂下方向は、９０度より小さい角度なので、垂下部３と上面部２とがなす角度が弾性的に変形して広げられ、垂下部３及び上面部２が床スラブ５２の角に強く当接し介そう具１が隙間５３に強固に固定される。これらの２つの当接の力は、互いに相乗的で打ち消し合わず、強く密着し介そう具１が強固に固定される。床突出部４の突出先端は、介そう具１の一番下方に位置するので、垂下部３・床突出部４の弾性変形が十分に引き出され、介そう具１が強固に固定される。【選択図】図３
2018091045.tif 000002
【特許請求の範囲】
【請求項１】
建築物の壁部分とこの建築物の床部分との間の隙間に取り付けられる介そう具において、
上記床部分の上面に置かれる上面部と、
この上面部から上記隙間に垂下する弾性的に変形可能な垂下部であって、この垂下部の垂下方向は、上記上面部に対して８５度乃至６５度の角度をなしており、
上記垂下部の下方または途中に設けられ、上記隙間内の上記床部分の側面に向かって突出する床突出部と、
この垂下部または突出部の下方から上記隙間内の上記壁部分に向かって突出する壁突出部とを備えたことを特徴とする介そう具。
【請求項２】
上記床突出部の長さは、上記垂下部の長さより短く、上記壁突出部の長さより短いことを特徴とする請求項１記載の介そう具。
【請求項３】
上記床突出部の突出方向は、上記垂下部に対して９０度乃至１７０度の角度をなしていることを特徴とする請求項２記載の介そう具。
【請求項４】
上記床突出部の長さは、上記上面部の長さより短いことを特徴とする請求項３記載の介そう具。
【請求項５】
上記壁突出部の突出方向は、上記上面部とほぼ平行乃至この平行から５０度上面部の方向に向いていることを特徴とする請求項４記載の介そう具。
【請求項６】
上記壁突出部の長さは、上記壁部分と上記床部分側面との隙間の幅より５％乃至２５％長い、または同幅より５ミリメートル乃至２５ミリメートル長いことを特徴とする請求項５記載の介そう具。
【請求項７】
上記垂下部及び上記床突出部の長さは、上記床部分の厚さより５％乃至２５％短い、または同厚さより５ミリメートル乃至２５ミリメートル短いことを特徴とする請求項６記載の介そう具。
【発明の詳細な説明】
【技術分野】
【０００１】
本発明は、建築物の壁部分とこの建築物の床部分との間の隙間に取り付けられる介そう具に関し、この隙間に強固に固定できる介そう具と、この介そう具を使用した施工方法に関する。
【背景技術】
【０００２】
従来、このような介そう具は、建築物の壁部分とこの建築物の床部分との間の隙間に取り付けられるとき、隙間の上方から介そう具を挿入し易くするため、介そう具と建築物の壁部分及び介そう具と建築物の床部分との間に隙間があった。
【０００３】
【特許文献１】特開平０７−０４２２７１号公報
【特許文献２】特開平０９−１７７１９６号公報
【特許文献３】実開平０７−０４２３９１号公報
【特許文献４】特開平０６−０９３６７３号公報
【特許文献５】特開２００９−０４１２３６号公報
【発明の開示】
【発明が解決しようとする課題】
【０００４】
しかし、介そう具と建築物の壁部分及び介そう具と建築物の床部分との間に隙間があると、介そう具が建築物にしっかりと固定できず、介そう具の上に取り付けられる耐火材、その他の施工物が、長年の時間経過でずれてしまうことがあった。
【課題を解決するための手段】
【０００５】
上記課題を解決するため、本発明の層間介そう具では、  建築物の壁部分とこの建築物の床部分との間の隙間に取り付けられる介そう具において、  上記床部分の上面に置かれる上面部と、  この上面部から上記隙間に垂下する垂下部であって、この垂下部の垂下方向は、上記上面部に対して８５度乃至６５度の角度をなしており、  上記垂下部の下方または途中に設けられ、上記隙間内の上記床部分の側面に向かって突出する床突出部と、  この垂下部または突出部の下方から上記隙間内の上記壁部分に向かって突出する壁突出部とを備えた。
【０００６】
これにより、上記床突出部が床部分の側面に当接し、上記壁突出部が壁部分に当接して、壁部分と床部分との間の隙間に介そう具が密着ししっかりと固定される。また、垂下部と上面部となす角度が９０度より小さくて、垂下部と上面部とが弾性的に広げられる力と、床突出部が突出していて垂下部全体が弾性的に湾曲される力とは、互いに相乗的に協力しあう関係であり、互いに打ち消し合う関係ではないので、介そう具が隙間の内面により密着し、介そう具が隙間により強固に固定される。
【図面の簡単な説明】
【０００７】
【図１】介そう具１の側面全体を示す。
【図２】介そう具１の全体外観を示す。
【図３】介そう具１が壁パネル５１と床スラブ５２との隙間５３内に若干変形して取り付けられた状態を示す。
【図４】介そう具１の他の実施形態を示す。
【図５】介そう具１の他の実施形態を示す。
【図６】介そう具１の他の実施形態を示す。
【図７】介そう具１の他の実施形態を示す。
【図８】介そう具１の他の実施形態を示す。
【発明を実施するための形態】
【０００８】
（１）介そう具１の構造
図１及び図２は本発明の介そう具１の側面全体及び全体外観を示す。この介そう具１（層間介そう具）は、建築物の壁パネル５１（壁部分）と、この建築物の床スラブ５２（床部分）との間の隙間５３に取り付けられる。この壁パネル５１と床スラブ５２とは、建築用の連結金具（図示せず）よって連結固定される。このような隙間５３は、例えば高層建築物などでは構造上の必要性から形成される。
【０００９】
介そう具１は、金属製、例えばステンレス製で、厚さ０．３ミリメートル乃至１．５ミリメートル、例えば０．７ミリメートルのどで、全体が均一の厚さで、上から上面部２、垂下部３、床突出部４、壁突出部５からなっている。介そう具１のこれら垂下部３などは、金属製であるため、弾性的に変形可能となっている。
【００１０】
介そう具１の上端の上面部２は、１００ミリメートル×５０ミリメートルのほぼ正方形状の平坦な板状で、上記隙間５３部分に臨む上記床スラブ５２の上面にほぼ水平に置かれる。
【００１１】
この上面部２に一体で繋がっている垂下部３は、１００ミリメートル×１１０ミリメートルの縦長の長方形状の平坦な板状で、上面部２に対して８５度乃至６５度の角度、例えば８０度をなして折れ曲がっており、上記隙間５３にほぼ垂直に垂下するものである。この結果、この垂下部３の垂下方向は、上記上面部２に対して８５度乃至６５度の角度、例えば８０度をなすことになる。
【００１２】
上記垂下部３の下方は、上記上面部２の方向、つまり床スラブ５２の側面の方向に向かって、折れ曲がって床突出部４が形成されている。この床突出部４は、１００ミリメートル×２０ミリメートルの横長の長方形状の平坦な板状で、この床突出部４の突出方向は、上記垂下部３に対して、１２０度乃至１７０度の角度、例えば１５０度の角度をなして斜めの下方へ折れ曲がっている。
【００１３】
上記垂下部３及び上記床突出部４の合計の長さは、上記床スラブ５２の厚さより５％乃至２５％短くされたり、または床スラブ５２の厚さより５ミリメートル乃至２５ミリメートル短くされる。これにより、介そう具１が隙間５３から突出せず、建築物の内装の外観を美しくできる。
【００１４】
例えば、垂下部３の長さ（高さ）は、床スラブ５２の厚さより数十ミリメートル、例えば３０ミリメートル短くされる。床突出部４の縦方向の高さは、上記２０ミリメートル÷２×ルート（３）＝１７．３２ミリメートルほどとなる。ルート（３）というのは「３」の平方根の意味である。
【００１５】
したがって、上記垂下部３及び上記床突出部４の合計の長さは、上記床スラブ５２の厚さより３０ミリメートル−１７．３２ミリメートル＝１２．６８ミリメートルほど短くなる。上記床スラブ５２の厚さは、垂下部３の長さ１１０ミリメートル＋３０ミリメートル＝１４０ミリメートルなので、１２．６８ミリメートル÷１４０ミリメートル＝９％ほど短くなる。
【００１６】
上記床突出部４の下方は、上記上面部２と反対方向、つまり上記床スラブ５２の方向に向かって、鋭角に折れ曲がって壁突出部５が形成されている。この壁突出部５は、１００ミリメートル×８５ミリメートル、または上記隙間５３の幅より５ミリメートル乃至２５ミリメートル、例えば１０ミリメートルほど長い。
【００１７】
この壁突出部５は、縦長の長方形状の平坦な板状で、この壁突出部５の突出方向は、上記床突出部４に対して、０度乃至１２０度の角度、例えば６０度の角度をなして壁パネル５１に向かって、例えばほぼ水平方向へ、上記上面部２と平行方向に折れ曲がっている。
【００１８】
（２）装着された介そう具１
図３は、介そう具１が、上記隙間５３内に若干変形して取り付けられた状態を示す。介そう具１の上面部２、垂下部３、床突出部４、壁突出部５の寸法は、上記床スラブ５２の厚さ、隙間５３の幅に応じて変更される。このとき、壁突出部５の長さの先端は、建築現場で、隙間５３の幅に応じて切断されてもよい。
【００１９】
この隙間５３の高さは、上述と同じであり、この隙間５３の高さ、すなわち床スラブ５２の厚さは１４０ミリメートル、この隙間５３の幅は７５ミリメートルの例である。上記壁突出部５の長さは、上記壁パネル５１と上記床スラブ５２側面との隙間５３の幅より０％乃至３０％、例えば５％乃至２５％長い、または隙間５３の幅より０ミリメートル乃至３０ミリメートル、例えば５ミリメートル乃至２５ミリメートル長くされる。
【００２０】
これにより、介そう具１の下端の壁突出部５の両端が壁パネル５１の側面と床スラブ５２の側面に当接するので、介そう具１が隙間５３の内面に密着し、介そう具１が隙間５３に強固に固定される。例えば、上記壁突出部５の長さは８５ミリメートルなので、壁突出部５の長さは、上記隙間５３の幅の７５ミリメートルより、１３．３％、つまり１０ミリメートル長くされる。
【００２１】
このような上記壁突出部５は、隙間５３の幅より大きい寸法なので、上記壁突出部５の突出方向は、水平方向、つまり上記上面部２と平行方向から約３０度、上面部２の方向、つまり上方向、言いかえると仰角方向に向いている。
【００２２】
壁突出部５の寸法を変更すれば、壁突出部５の突出方向は、水平方向（上面部２と平行方向）から５０度ぐらいまで変更できる。なお、上記の５％または５ミリメートルぐらい長ければ、壁突出部５の弾性変形によって、壁突出部５をほぼ水平、つまり上面部２にほぼ平行にできる。
【００２３】
このようにして、隙間５３の幅にあわせて介そう具１の壁突出部５の幅、向きを調整できる。この壁突出部５の上には、防火用の板材５４が乗せられるので、この防火用の板材５４の寸法に応じて、例えば防火用の板材５４の両縁と壁パネル５１側面及び床スラブ５２側面との隙間ができなくなり、防火性／耐火性が向上する。そして、介そう具１が取り付けられた隙間５３の上方には耐火材５５が嵌め込まれ、防火対策が施される。
【００２４】
この防火用の板材５４は、介そう具１の幅方向、つまり図面に垂直方向に長く、隙間５３を長手方向に沿って塞ぐ。また、壁突出部５の傾斜にそって、この防火用の板材５４も傾斜しているので、地震などで隙間５３の幅が変化しても、この変化を吸収して、防火用の板材、壁突出部５、介そう具１全体が変形しにくい。
【００２５】
上記床突出部４は壁パネル５１の側面に向かって突出しているので、介そう具１を隙間５３に装着したとき、垂下部３が弾性的に変形して湾曲され、垂下部３の上方（裏面）及び床突出部４の下方（裏面）が壁パネル５１の側面に強く当接し、介そう具１が隙間５３の内面に密着し、介そう具１が隙間５３に強固に固定される。裏面は図１〜図３において介そう具１の右側の側面を指す。
【００２６】
また、垂下部３の垂下方向は、上面部２に対して８５度乃至６５度の角度をなしていて、９０度より小さい角度なので、介そう具１を隙間５３に装着したとき、垂下部３と上面部２とがなす角度が弾性的に変形して広げられ、垂下部３の上方（裏面）及び上面部２（裏面）が床スラブ５２の角に強く当接し、介そう具１が隙間５３の内面に密着し、介そう具１が隙間５３に強固に固定される。
【００２７】
この垂下部３と上面部２となす角度が９０度より小さくて、垂下部３と上面部２とが弾性的に広げられる力と、上記床突出部４が突出していて垂下部３全体が弾性的に湾曲される力とは、互いに相乗的に協力しあう関係であり、互いに打ち消し合う関係ではないので、介そう具１が隙間５３の内面により密着し、介そう具１が隙間５３により強固に固定される。
【００２８】
また、床突出部４の一番突出した先端は、介そう具１の一番下方に位置するので、垂下部３または／及び床突出部４の弾性変形を十分に引き出すことができ、介そう具１が隙間５３の内面に密着し、介そう具１が隙間５３に強固に固定される。
【００２９】
上記床突出部４の長さは、上記垂下部３の長さより短くなっている、つまり垂下部３の長さは床突出部４の長さより長くなっている。これにより、介そう具１の弾性変形を垂下部３に集中させて、垂下部３の裏面の床スラブ５２側面への接触面積が大きくなって、介そう具１が隙間５３の内面に密着し、介そう具１が隙間５３に強固に固定される。
【００３０】
上記床突出部４の長さは、上記壁突出部５の長さより短くなっている。これにより、壁パネル５１と床スラブ５２側面との間の隙間５３に、介そう具１を入れるとき、床突出部４が邪魔にならず、円滑に介そう具１を取り付けることができる。
【００３１】
上記床突出部４の長さは、上記上面部２の長さより短くなっている、つまり上面部２の長さは床突出部４の長さより長くなっている。これにより、上面部２の床スラブ５２上面への接触面積が大きくなって、上面部２が床スラブ５２から外れにくくなり、介そう具１が床スラブ５２外面に密着し、介そう具１が床スラブ５２に強固に固定される。
【００３２】
（３）介そう具１の他の実施形態
図４〜図８は、介そう具１の他の実施形態を示す。図４の実施形態では、垂下部３の途中に床突出部が設けられ床スラブ５２の側面に向かって突出している。この床突出部４は、横向きの「Λ字状」（山形）となっている。
【００３３】
図４の例では、床突出部４が垂下部３の途中に設けられているので、床スラブ５２側面に凹凸があって、床突出部４が床スラブ５２側面に十分に当接できないときに、十分に当接できる場所が床突出部４付近にある時に有効である。この「Λ」（山形）の床突出部４は、垂下部３の下端／下方に設けられていてもよい。
【００３４】
図５の実施形態では、垂下部３に対して床突出部４が７０度乃至１２０度、例えば９０度折れ曲がって、床スラブ５２の側面に向かって突出し、さらに、３０度乃至７５度、例えば４５度反転して折れ曲がって、壁パネル５１に向かって斜めに突出し、そして９０度乃至３０度、例えば１３５度上方へ折れ曲がって水平に延びている。
【００３５】
図５の例では、床突出部４の一番突出した先端は、床突出部４の上方に位置するので、床スラブ５２の厚さが垂下部３の長さに近くなった場合に、床突出部４の突出先端が床スラブ５２側面からはずれず、床突出部４の突出先端が床スラブ５２側面に確実に当接できる。
【００３６】
図６の実施形態では、床突出部４を側面方向からみた断面形状は半円形で湾曲しており、壁突出部５は湾曲した床突出部４の先端から水平に延びている。図６の例では、床突出部４が湾曲しているので、地震その他の床スラブ５２または壁パネル５１の振動があっても、介そう具１と床スラブ５２または壁パネル５１との間に係る力を吸収できる。
【００３７】
図７の実施形態では、床突出部４を側面方向からみた断面形状は「コ字状」に折れ曲がっており、下向きの床突出部４の先端から壁突出部５は水平に折れ曲がっている。図７の例では、床突出部４に縦に延びる面があるので、床突出部４と床スラブ５２側面との接触面積が広がり、介そう具１の床スラブ５２への密着度が向上し、介そう具１が隙間５３に強固に固定される。
【００３８】
図８の実施形態では、床突出部４は半円形に突出しさらに斜め下に直線状に延びて突出している。この床突出部４の半円形突出部分は、床スラブ５２側面方向ではなく壁パネル５１に向かって突出している。床突出部４の直線状突出部分は、上記図１〜図３と同じく床スラブ５２側面方向に突出している。
【００３９】
図８の例では、壁パネル５１に向かって突出している部分があるので、この突出部分は湾曲し易く、垂下部３の湾曲を容易にして、介そう具１が隙間５３の内面に密着し、介そう具１が隙間５３に強固に固定される。
【００４０】
(４)他の実施の形態
本発明は、上記実施形態に限定されず、種々変更可能である。例えば、本発明の介そう具１の材質は、ステンレス以外の鉄、アルミニウム、亜鉛、銅、すず、ニッケル、ジュラルミン、タングステン、真ちゅう、これ以外の金属、これらの金属の合金でもよいし、プラスチック（耐火性）、セラミック、セルロース強化された、またはセルロースナノファイバーの木材、竹、紙、パルプ、繊維、これらの合成物製／混合物製／多層積層物製／複合材料などでもよい。
【００４１】
垂下部３の長さは、床突出部４の幅、長さ、高さ、壁突出部５の長さ、隙間５３の幅、上面部２の長さより長いが短くても同じでもよい。床突出部４の幅、長さ、高さは、壁突出部５の長さ、隙間５３の幅、上面部２の長さより短いが長くても同じでもよい。上面部２の長さは、壁突出部５の長さより短いが長くても同じでもよい。
【００４２】
上記上面部２、垂下部３、床突出部４、壁突出部５のそれぞれの折れ曲がり角度は上記のものに限られず、任意に変更可能である。上面部２、垂下部３、床突出部４、壁突出部５のそれぞれの折れ曲がり方向は、介そう具１の長手方向に対して直交する方向であったが、斜め方向に折れ曲がってよい。
【００４３】
上記上面部２、垂下部３、床突出部４、壁突出部５は平坦な板状であったが、途中で折れ曲がっていてもよいし、凹凸があったり、網状でもよいし、すだれ状でもいし、立体的でもよいし、湾曲していてもよい。上面部２、垂下部３、床突出部４、壁突出部５の各厚さは同じであったが、それぞれが異なる厚さでもよい。
【００４４】
上記上面部２、垂下部３、床突出部４、壁突出部５の幅は同じであったが、それぞれが異なる幅でもよい。上面部２、垂下部３、床突出部４、壁突出部５の各長さは、上記のものに限られず、任意に変更可能である。介そう具１の幅、長さ、厚さ、折れ曲がり角度は、上記のものに限られず任意に変更可能である。
【００４５】
上記上面部２、垂下部３、床突出部４、壁突出部５のそれぞれの間には、折れ曲がり角度が中間の付加部分が設けられてもよく、また円筒面状に湾曲していてもよく、上面部２または壁突出部５の外端にも、任意の折れ曲がり角度の付加部分が設けられてもよい。
【００４６】
床突出部４は垂下部３の下方だけでなく、途中、上方に設けられていてもよいし、このような各場所の複数個所に設けられてもよいし、床突出部４は突起状になっていて、垂下部３の各所に点在する形でもよい。
【００４７】
介そう具１の上面部２、垂下部３、床突出部４、壁突出部５の一部または全部は、弾性的に変形しない素材、構造からなっていてもよい。壁突出部５の突出方向は水平に限られず、水平より上方でもよいし、水平より下方でもよい。床突出部４の突出方向は、斜め下方であったが、斜め情報でもよいし、水平でもよい。
【００４８】
上記本発明の介そう具は、建築物の壁パネル５１と床スラブ５２との隙間５３のほか、柱と床スラブ５２との隙間、梁と床スラブ５２または壁パネル５１との隙間、壁パネル５１どうしの隙間、床スラブ５２どうしの隙間、柱どうしの隙間、その他建築資材の間の隙間に取り付けられてもよい。
【００４９】
上記介そう具１、上面部２、垂下部３、床突出部４、壁突出部５、壁パネル５１、床スラブ５２、隙間５３のそれぞれの一部または全体はなくてもよいし、その数は増えても減ってもよいし、その形状は任意に変更可能であり、均等の他のものに置き換えられてもよいし、これらの２つまたは３つ以上が合体または一体化されて兼用されていてもよい。
【００５０】
（５）他の発明の効果
［１］建築物の壁部分とこの建築物の床部分との間の隙間に取り付けられる介そう具において、
上記床部分の上面に置かれる上面部と、  この上面部から上記隙間に垂下する弾性的に変形可能な垂下部であって、この垂下部の垂下方向は、上記上面部に対して８５度乃至６５度の角度をなしており、  上記垂下部の下方または途中に設けられ、上記隙間内の上記床部分の側面に向かって突出する床突出部と、  この垂下部または突出部の下方から上記隙間内の上記壁部分に向かって突出する壁突出部とを備えたことを特徴とする介そう具。
【００５１】
これにより、垂下部と上面部となす角度が９０度より小さくて、垂下部と上面部とが弾性的に広げられる力と、床突出部が突出していて垂下部全体が弾性的に湾曲される力とは、互いに相乗的に協力しあう関係であり、互いに打ち消し合う関係ではないので、介そう具が隙間の内面により密着し、介そう具が隙間により強固に固定される。
【００５２】
［２］上記床突出部の長さは、上記垂下部の長さより短く、上記壁突出部の長さより短いことを特徴とする請求項１記載の介そう具。
【００５３】
これにより、介そう具の弾性変形を垂下部に集中させて、垂下部の裏面の上記床部分側面への接触面積が大きくなって、介そう具が上記隙間の内面に密着し、介そう具が隙間に強固に固定される。また、上記壁部分と床部分側面との間の隙間に、介そう具を入れるとき、床突出部が邪魔にならず、円滑に介そう具を取り付けることができる。
【００５４】
［３］上記床突出部の突出方向は、上記垂下部に対して９０度乃至１７０度の角度をなしていることを特徴とする請求項２記載の介そう具。これにより、床突出部の突出方向は、垂下部の斜め下方に位置するので、垂下部または／及び床突出部の弾性変形を十分に引き出すことができ、介そう具が上記隙間の内面に密着し、介そう具が隙間に強固に固定される。
【００５５】
［４］上記床突出部の長さは、上記上面部の長さより短いことを特徴とする請求項３記載の介そう具。  上記床突出部の長さは、上記上面部の長さより短くなっている、つまり上面部の長さは床突出部の長さより長くなっている。これにより、上面部の床部分上面への接触面積が大きくなって、上面部が床部分から外れにくくなり、介そう具が床部分外面に密着し、介そう具が床部分に強固に固定される。
【００５６】
［５］上記壁突出部の突出方向は、上記上面部とほぼ平行乃至この平行から５０度上面部の方向に向いていることを特徴とする請求項４記載の介そう具。これにより、壁突出部の上に乗せる防火用の板材の幅／寸法に応じて、隙間のできない最適な取り付けを実現できる。
【００５７】
［６］上記壁突出部の長さは、上記壁部分と上記床部分側面との隙間の幅より５％乃至２５％長い、または同幅より５ミリメートル乃至２５ミリメートル長いことを特徴とする請求項５記載の介そう具。  これにより、介そう具の下端の壁突出部の両端が壁部分の内面と床部分の内面に当接するので、介そう具が隙間の内面に密着し、介そう具が隙間に強固に固定される。
【００５８】
［７］上記垂下部及び上記床突出部の長さは、上記床部分の厚さより５％乃至２５％短い、または同厚さより５ミリメートル乃至２５ミリメートル短いことを特徴とする請求項６記載の介そう具。これにより、介そう具が隙間から突出せず、建築物の内装の外観を美しくできる。
【産業上の利用可能性】
【００５９】
建築物の隙間に介そう具を密着させて強固に取り付ける。介そう具１の床突出部４は壁パネル５１の側面に向かって突出し、垂下部３が弾性的に変形して湾曲され、垂下部３及び床突出部４が壁パネル５１の側面に強く当接し介そう具１が隙間５３に強固に固定される。
【００６０】
垂下部３の垂下方向は、９０度より小さい角度なので、垂下部３と上面部２とがなす角度が弾性的に変形して広げられ、垂下部３及び上面部２が床スラブ５２の角に強く当接し介そう具１が隙間５３に強固に固定される。
【００６１】
これらの２つの当接の力は、互いに相乗的で打ち消し合わず、強く密着し介そう具１が強固に固定される。床突出部４の突出先端は、介そう具１の一番下方に位置するので、垂下部３・床突出部４の弾性変形が十分に引き出され、介そう具１が強固に固定される。
【００６２】
床突出部４の長さは、上記垂下部３の長さより短く、介そう具１の弾性変形を垂下部３に集中させ、垂下部３の裏面の床スラブ５２側面への接触面積が大きくなって、介そう具１が強固に固定される。
【符号の説明】
【００６３】
１…介そう具  ２…上面部
３…垂下部  ４…床突出部
５…壁突出部  ５１…壁パネル（壁部分）
５２…床スラブ（床部分）  ５３…隙間
５４…防火用の板材  ５５…耐火材
【図１】
2018091045.tif 000003
【図２】
2018091045.tif 000004
【図３】
2018091045.tif 000005
【図４】
2018091045.tif 000006
【図５】
2018091045.tif 000007
【図６】
2018091045.tif 000008
【図７】
2018091045.tif 000009
【図８】
2018091045.tif 000010